(57)【要約】【課題】器具本体内に配設された点灯装置が熱によって機能低下することを抑制することができる照明器具を提供する。【解決手段】  矩形枠状に形成された枠部２１と、この枠部２１の周縁に設けられる取付フランジ２３と、前記枠部２１の一端側を閉塞するように設けられ、前記枠部２１の中心部近傍に形成された取付穴２５を有する天板部２２と、を有する器具本体２０と；発光素子１１を有し、前記器具本体２０の枠部２１の他端側を閉塞するように配設された発光モジュール１０と；前記枠部２１、前記天板部２２、及び前記発光モジュール１０で形成される空間Ｃ内であって、前記天板部２２の枠部２１側に配設され、前記発光モジュール１０の発光素子１１を点灯制御する点灯装置３０と；を具備していることを特徴とする。【選択図】図４
2011003434.tif 000002
【特許請求の範囲】
【請求項１】
矩形枠状に形成された枠部と、この枠部の周縁に設けられる取付フランジと、前記枠部の一端側を閉塞するように設けられ、前記枠部の中心部近傍に形成された取付穴を有する天板部と、を有する器具本体と；
発光素子を有し、前記器具本体の枠部の他端側を閉塞するように配設された発光モジュールと；
前記枠部、前記天板部、及び前記発光モジュールで形成される空間内であって、前記天板部の枠部側に配設され、前記発光モジュールの発光素子を点灯制御する点灯装置と；
を具備していることを特徴とする照明器具。
【請求項２】
前記天板部の取付穴は、前記枠部の中心部を通り前記枠部の１辺と平行な直線上に複数設けられており、前記点灯装置は長尺状に形成され、長手方向が前記枠部の１辺と平行となるように前記天板部に配設されていることを特徴とする請求項１に記載の照明器具。
【発明の詳細な説明】
【技術分野】
【０００１】
本発明は、器具本体内に配設された点灯装置が熱によって機能低下することを抑制することができる照明器具に関する。
【背景技術】
【０００２】
近年LEDの高出力化、高効率化及び普及化に伴い、蛍光灯を用いた器具と同等の光束を有するLEDベースライトやLEDダウンライトが開発されている。
【０００３】
LEDは、従来光源に比べて長寿命であることが特徴であり、光源または器具の交換頻度を減らすことができるため、メンテナンスの面で有利である。
【０００４】
また、LEDは小形であるため光学設計の自由度が高く、さらなる高効率化が進めば従来とは異なる形態の照明器具も考えられる。
【０００５】
例えば、器具本体に発光モジュールと点灯装置を内蔵した薄形の照明器具が知られている（例えば、特許文献１参照）。
【０００６】
しかしながら、LEDは点灯に伴い発生した熱によって光束や効率の低下、短寿命化という影響があるため、ＬＥＤの放熱構造をとる必要がある。
【０００７】
また、ＬＥＤを点灯させる点灯装置は、ＬＥＤで発生した熱又は自身の熱によって温度上昇し所望の性能を得られなくなるという問題がある。
【０００８】
従って、ＬＥＤの放熱ができていても、点灯装置が温度上昇することによって、器具として性能を発揮することができないことがある。
【０００９】
一方、器具本体を吊ボルトとナット等の取付部材で取付ける場合、ナットの締め付けによって器具本体の天板が変形する。
【００１０】
このとき、点灯装置を天板部に取付けていると、点灯装置と天板との間に天板の変形に起因して間隙が生じる。
【００１１】
このため、点灯装置から天板部を経由して放熱される熱量が減少し、点灯装置の温度が上昇し、点灯装置が所望の性能を得られなくなる。
【先行技術文献】
【特許文献】
【００１２】
【特許文献１】特開２００９−１６０９５号公報
【発明の概要】
【発明が解決しようとする課題】
【００１３】
本発明は、上記課題に鑑みなされたもので、発光モジュールを点灯させる点灯装置の温度上昇を抑制することができる照明器具を提供することを目的とする。
【課題を解決するための手段】
【００１４】
請求項１記載の発光モジュールは、矩形枠状に形成された枠部と、この枠部の周縁に設けられる取付フランジと、前記枠部の一端側を閉塞するように設けられ、前記枠部の中心部近傍に形成された取付穴を有する天板部と、を有する器具本体と；発光素子を有し、前記器具本体の枠部の他端側を閉塞するように配設された発光モジュールと；前記枠部、前記天板部、及び前記発光モジュールで形成される空間内であって、前記天板部の枠部側に配設され、前記発光モジュールの発光素子を点灯制御する点灯装置と；を具備していることを特徴とする。
【００１５】
発光素子は、ＬＥＤ、有機ELや半導体レーザなど半導体を発光源とした発光素子が好適であるが、その他の光源であってもよい。また、白色で発光するように構成してもよいし、用途に応じて赤色、青色、緑色等、あるいはこれらを組合せて構成してもよい。
【００１６】
発光モジュールは、器具本体内に内蔵でき、枠部の他端側を閉塞できるものであればよく、例えば、発光素子の他に基板、放熱板などの構成を有していてもよい。
【００１７】
請求項２記載の照明器具は、請求項１において、前記天板部の取付穴は、前記枠部の中心部を通り前記枠部の１辺と平行な直線上に複数設けられており、前記点灯装置は長尺状に形成され、長手方向が前記枠部の１辺と平行となるように前記天板部に配設されていることを特徴とする。
【発明の効果】
【００１８】
請求項１記載の照明器具によれば、取付穴にボルト等の取付部材が取付けられて、天板が変形しても、点灯装置と天板との接続を確実に行うことができるので、点灯装置の温度上昇を抑制することができる。
【００１９】
請求項２記載の照明器具によれば、取付穴にボルト等の取付部材が取付けられて、天板が変形しても、天板の変形量が少ない位置に点灯装置を配設するので点灯装置の温度上昇を抑制することができる。
【図面の簡単な説明】
【００２０】
【図１】本発明の照明器具の平面図。
【図２】図１の照明器具の側面図である。
【図３】本発明の照明器具の背面図である。
【図４】本発明の照明器具の取付状態を示す断面図である。
【図５】本発明の第２の実施形態に係る照明器具の背面図である。
【発明を実施するための形態】
【００２１】
以下、本発明の一実施の形態を図面を参照して説明する。
【００２２】
図１乃至図４に本発明の照明器具に係る第１の実施形態を示し、図１は照明器具の平面図、図２は照明器具の側面図、図３は照明器具の背面図、図４は照明器具の取付状態を示す断面図である。
【００２３】
図１ないし図４において、照明器具１は発光モジュール１０及び器具本体２０を有し、器具本体２０は、矩形枠状に形成された枠部２１、枠部２１の一端側を閉塞するように設けられ平面視が四角形に形成された天板部２２、枠部２１の周縁に設けられる取付フランジ２３を有している。枠部２１の側方には複数の通気孔２４が設けられている。天板部２２は、天板部２２の中心部近傍位置に取付穴２５、天板部２２の中心部を通り枠部２１の１辺に平行な中心線上に電源線挿通孔２６、信号線挿通孔２７が形成されている。取付穴２５は、大径部及び大径部よりも縮径した小径部を有するダルマ穴となっている。電源線挿通孔２６及び信号線挿通孔２７の側方近傍にはそれぞれ電源端子台２８及び信号線端子台２９が天板部２２の内面側に配設されている。
【００２４】
枠部２１、天板部２２、取付フランジ２３は、アルミニウムで形成されて一体または別体で構成されている。
【００２５】
発光モジュール１０は、ＬＥＤからなる複数の発光素子１１、発光素子１１が実装される基板１２、基板１２及び枠部２１に熱的に結合されたアルミニム等の熱伝導性が良好な金属で形成された放熱板１３、それぞれの発光素子１１の周囲から拡開するように形成された反射面を有し、基板１２に配設された反射部１４を具備している。
【００２６】
天板部２２の内面側であって枠部２１の１辺よりには発光モジュール１０の発光素子１１を点灯制御する点灯装置３０が取付けられている。
【００２７】
放熱板１３は、基板１２よりも平面視の面積が大きく、枠部２１の開口部とほぼ同形状に形成されている。
【００２８】
発光素子１１は互いに等距離でマトリクス状に実装され、枠部２１の他端側から光を照射可能に構成されている。
【００２９】
なお、基板１２と放熱板１３との間には、熱伝導性が良好な物質を介在させてもよく、例えば、基板１２の背面側に銅箔を形成してもよいし、基板１２と放熱板１３との間にシリコン等の熱伝導物質を配設してもよい。
【００３０】
また、発光モジュール１０の前面側には透光板または白色等の半透明な拡散板を設けてもよい。
【００３１】
このように、発光モジュール１０は枠部２１の他端側を閉塞するように枠部２１に配設されており、天板部２２、枠部２１、発光モジュール１０によって囲まれる空間部Ｃを形成する。
【００３２】
点灯装置３０は、空間部Ｃに配設されており、枠部２１の１辺近傍に図示しないネジなどの取付手段によって天板部２２に取付けられている。また、点灯装置３０は、長尺状に形成されており、点灯装置３０の長手方向と枠部２１の１辺とが平行となるように配設されている。
【００３３】
次に、本実施形態の作用について説明する。
【００３４】
天井面に設けられた埋込孔に照明器具１を設置する場合、天井裏に配線された電源線及び信号線（図示しない）を電源線挿通孔２６及び信号線挿通孔２７から引き込む。その後、天井裏に設けられたボルト４０及びナット４１等の取付手段を取付穴２５に挿通し、仮固定する。この状態で、ナット４１を締付けていくと天板部２２が上方に引き上げられ、器具本体２０も上方へ引き上げられる。そして、取付フランジ２３が天井面に当接すると枠部２１の移動は停止し、さらに、ナット４１を締め付けると図４に示すように天板部２２がわずかに変形し器具本体２０の固定が完了する。
【００３５】
次に、器具本体２０に引き込んだ電源線および信号線を電源端子台２８及び信号線２９に接続し、発光モジュール１０を器具本体２０に図示しない取付手段で取付けることで照明器具１の配設が完了する。
【００３６】
発光モジュール１０に電源を投入すると発光素子１１が点灯する。ここで、発光モジュール１０の点灯中には発光素子１１で発生した熱は、基板１２及び放熱板１３を介して空間Ｃに放熱される。枠部２１の側面には通気孔２４が設けられており空間Ｃの熱を外部に放出することができる。
【００３７】
また、点灯装置３０自身も発熱するが、天板部２２に取付けられているため点灯装置３０の熱は天板部２２を介して外部へ放熱することができる。
【００３８】
しかしながら、空間部Ｃは枠部２１を天板部２２及び発光モジュール１０によって、両端の開口部が閉塞されており、発光モジュール１０及び点灯装置３０で発生した熱が篭りやすく、この空間Ｃに配設される点灯装置３０は温度上昇しやすくなる。ところで、点灯装置３０は、所定の温度以上になると所望の機能を発揮することができなくなる。そこで、点灯装置３０の機能を確保するために空間Ｃの大きさを広げ温度上昇を抑えることも考えられるが器具全体が大形化してしまうという問題が発生する。
【００３９】
つまり、器具本体２０を薄形化した照明器具１を実現するためには、点灯装置３０の温度上昇を抑制することが課題となる。
【００４０】
本願発明者は、上記課題を解決するために検討した結果、点灯装置３０の取付位置と点灯装置３０の温度上昇との間に相関関係があり、点灯装置３０を取付穴２５から隔離することで点灯装置３０の温度上昇を抑制することができることを見出した。
【００４１】
すなわち、点灯装置３０は天板部２２に取り付けられるが、器具本体２２を天井埋込孔に配設するときに天板部２２が変形するため、点灯装置３０と天板部２２との間にわずかに隙間が生じる。この隙間によって、点灯装置３０から天板部２２への熱伝導が減少し、点灯装置３０の温度上昇の原因となることが分かった。
【００４２】
また、この天板部２２の変形量は取付穴の近傍が最も大きく、枠部２１側へいくに従って小さくなる。このため、点灯装置３０を取付穴から遠く、かつ枠部２１側へ配設すれば天板部２２の変形の影響が少なくなり、点灯装置３０と天板部２２との間に形成される隙間が小さくなり、点灯装置３０の温度上昇を抑制することができると考えられる。例えば、１辺約４００ｍｍの四角形状の天板部２２を有する器具において取付穴２５から１２０ｍｍ以上離して点灯装置３０を配設すれば温度上昇を抑制することができた。
【００４３】
本実施形態では、取付穴２５を天板部２２の中央に設け、点灯装置３０を取付穴２５に対して枠部２１側に配設したので、天板部２２の変形の影響が小さく、点灯装置３０の温度上昇を抑制することができる。
【００４４】
また、点灯装置３０が長尺状に形成されて、枠部２１の１辺に沿うように配設されているため点灯装置３０が天板部２２の補強材として機能し、天板部２２の変形を抑制することができる。
【００４５】
さらに、電源線挿通孔２６と信号線挿通孔２７との近傍にそれぞれ電源端子台２８及び信号線端子台２９が配設されているので、器具本体内に引き込まれた電源線及び信号線の接続作業が容易になるとともに、接続を間違い難くすることができる。
【００４６】
次に、本発明に係る照明器具の第２の実施形態について図５を用いて説明する。
【００４７】
第２の実施形態は、取付穴２５が２つ設けられている以外は第１の実施形態と同様であるので、同一構成については同一符号を付してその説明は省略する。
【００４８】
第２の実施形態では、枠部２１の中心部を通り枠部２１の１辺と平行な直線上の天板部２２に取付穴２５が所定間隔を有して形成されている。
【００４９】
また、点灯装置３０は長尺状に形成され、長手方向が枠部２１の１辺と平行となるように天板部２２に配設されている
【００５０】
すなわち、取付穴２５が複数の場合にも、点灯装置３０を取付穴２５よりも枠部２１側へ配設することによって、点灯装置３０と天板部２２との間に形成される隙間を小さくし、点灯装置３０の温度上昇を抑制することができる。このように、取付穴２５の数は、２つ以上であっても同様の効果を得ることができる。
【００５１】
なお、第１及び第２の実施形態において、四角形状の発光モジュール１０及び照明器具１について説明したが、それぞれの外形は特に限定されるものではなく、例えば丸形や多角形のものであってもよい。
【００５２】
以上、本発明の好適な実施形態を説明したが、本発明は上述の各実施例に限定されることなく、本発明の要旨を逸脱しない範囲内において、種々の設計変更を行うことができる。
【符号の説明】
【００５３】
１…照明器具、１０…発光モジュール、２０…器具本体、２１…枠部、２２…天板部、２３…取付フランジ、２５…取付穴、３０…点灯装置、Ｃ…空間部
【図１】
2011003434.tif 000003
【図２】
2011003434.tif 000004
【図３】
2011003434.tif 000005
【図４】
2011003434.tif 000006
【図５】
2011003434.tif 000007